(57)【要約】【課題】カム機構の凹部や凸部を構成したカム部品が破損したりせず、スムーズな回動が維持されつつも、３５度以下の回動位置で早目に凹部から凸部が脱して下がり傾斜の摺動部による回動付勢が生じ、しかもこの凹部の登り上がり傾斜部の頂部を低くし登り上がり傾斜度を限界傾斜面以上に急傾斜にすることなく、十分な回動付勢も得られる極めて画期的なヒンジ装置を提供すること。【解決手段】カム機構の凸部10が凹11からする回動角を３５度以下とし、この凹部11から脱してから略９０度までの凹部11間の摺動部12の下がり傾斜度が、それ以上の摺動範囲の下がり傾斜度より大きくして、前記回動角が略９０度の位置の前後で前記回動付勢が変化するように形成したヒンジ装置。【選択図】図４
2010133494.tif 000002
【特許請求の範囲】
【請求項１】
第一部材と第二部材とを重合した重合閉塞状態から第一部材に対して第二部材を起伏反転回動して開放状態となるように第一部材と第二部材とを回動自在に連結するヒンジ装置であって、前記第一部材に連結する第一連結部と前記第二部材に連結する第二連結部の一方に、凸部を設けたカム部を共回り状態に設け、他方に相対回動することで前記カム部の凸部と凹凸係合する凹部を設けたカム係合部を共回り状態に設け、このカム部とカム係合部との少なくとも一方は前記共回り状態にして且つ回動軸方向となる係合離反方向にスライド移動自在に設け、このカム部若しくはカム係合部を係合方向に付勢する係合付勢機構を設け、前記カム係合部には前記凸部が落ち込み係合する前記凹部を設けると共に、相対回動することで前記係合付勢機構に抗して前記凹部から前記凸部が脱して再び前記凹部に前記凸部が係合するまでの間で凸部が前記係合付勢機構の係合付勢により圧接摺動する摺動部を設け、この摺動部を次に前記凸部が係合する前記凹部に向かって下り傾斜する傾斜面に設けて前記係合付勢機構による回動付勢が生じるように構成したヒンジ装置において、前記第一部材と前記第二部材とが重合した重合閉塞状態の回動角を０度としたとき、前記第一部材に対して前記第二部材を回動して前記凸部が前記凹部の登り上がり傾斜部を乗り超えてこの凹部から脱した回動位置の回動角が３５度以下となるように前記凹部を形成し、前記摺動部の下がり傾斜面は、この傾斜度が変化しない一定の傾斜度の傾斜面とせず、前記凸部が前記凹部から脱してから回動角が略９０度までの回動範囲の下がり傾斜度が、それ以上の回動範囲の下がり傾斜度より大きくして、前記回動角が略９０度の位置の前後で前記回動付勢が変化するように形成したことを特徴とするヒンジ装置。
【請求項２】
前記カム部に二つの前記凸部を設けると共に、この二つの凸部に夫々凹凸係合する二つの前記凹部を前記カム係合部に設け、前記凸部も前記凹部もカム部若しくはカム係合部の対向面であって１８０度位相が異なる対向位置に設け、この二つの凹部間夫々に前記下り傾斜面とした前記摺動部を設けたことを特徴とする請求項１記載のヒンジ装置。
【請求項３】
前記カム部に設けた前記凸部が相対回動することで、これが落ち込み係合する前記凹部の前記登り上がり傾斜部を登り上がって行きこの登り上がり傾斜部の頂部を乗り越えると前記下がり傾斜面とした摺動部に前記係合付勢機構による係合付勢によって圧接して前記回動付勢が生じ、更にこの摺動部を摺動して次の前記凹部に落ち込み係合するように構成し、前記登り上がり傾斜部の登り傾斜度を大きくすることで前記凸部が前記凹部から脱する位置の回動角を３５度以下となるように前記凹部を形成すると共に、この登り上がり傾斜部の頂部の高さを低くして前記登り上がり傾斜部の登り傾斜度を登り上がれない限界傾斜度よりは小さくなるように前記凹部を形成したことを特徴とする請求項１，２のいずれか１項に記載のヒンジ装置。
【請求項４】
操作部を設けた本体部を前記第一部材若しくは前記第二部材とし、これに重合するディスプレイ部を設けた重合部を前記第二部材若しくは前記第一部材とし、この本体部と重合部とを、重合閉塞状態から起伏反転回動して開放状態となるように、前記請求項１〜３のいずれか１項に記載のヒンジ装置で枢着したことを特徴とするヒンジ装置を用いた電子機器。
【発明の詳細な説明】
【技術分野】
【０００１】
本発明は、例えば操作部を設けた本体部とディスプレイ部を設けた重合部とを、互いに重合した重合閉塞状態から、重合部を起伏反転回動して開放状態となるように枢着するヒンジ装置並びにこのヒンジ装置を用いた携帯電話やモバイルやノート形パソコンなどの電子機器に関するものである。
【背景技術】
【０００２】
折り畳み式の携帯電話やノート形パソコンなど本体部に対して重合部を起伏反転回動して開閉する電子機器においては、この本体部を第一部材とし、重合部を第二部材としたとき、以下のようなヒンジ装置が採用されている。
【０００３】
例えばこのような起伏回動式のヒンジ装置は、第一部材に設ける第一連結部と第二部材に設ける第二連結部の一方に回動軸部を設け、他方にこの回動軸部が相対回動自在に連結する軸受部を設けて回動自在に連結する構成とするが、所定回動位置でその回動位置をクリック保持したり、閉じ付勢や開き付勢（回動付勢）が生じるように、カム機構を組み込んだヒンジ装置を採用している。
【０００４】
具体的には回動軸部あるいは軸受部にカム部とカム係合部を設けてこの一方を第一部材と共回りするように設け、他方を第二部材と共回りするように設け、このカム部とカム係合部とが前記第一部材に対する第二部材の回動に伴って相対回動する際に、すり合わせ面となる互いの内側対向面に凸部と凹部とを設け、この凸部と凹部とが凹凸係合することでその回動位置がクリック保持されるように構成している。
【０００５】
更に説明すると、例えば第一部材に共回り状態に連結する第一連結部に一体にして共回り状態にカム部を設け、この第一連結部及びカム部から突出する回動軸部に回動自在にして且つスライド移動自在にカム係合部を設け、このカム係合部は第二部材に共回り状態に設けた第二連結部（例えば筒状ケース部）にスライド自在にして回り止め状態に収納し、この第二連結部（筒状ケース部内）とカム係合部に回動軸部を回動自在に挿通してこれらを軸受部とし、この第二連結部であって軸受部となる筒状ケース部内に前記カム係合部と共に係合付勢バネ（係合付勢機構）を設けてカム係合部をカム部に押し付けて凹凸係合付勢するように構成している。
【０００６】
従って、第一部材に対して第二部材を起伏反転回動すると、第一連結部及びこれに設けたカム部に対して第二連結部及びこれに共回り状態に設けたカム係合部が相対回動し、開放回動位置でカム部の凸部とカム係合部の凹部とが凹凸係合して（厳密にいえば凹部の底部に達せずその寸前の落ち込み傾斜部の途中でストッパーにより過回動阻止されて）クリック保持されるように構成している。
【０００７】
例えばこの凸部も凹部も１８０度位相のズレた対向位置に夫々二つずつ設けて前記カム部もカム係合部も対向面は回転対称形状に設けられ、例えば第一部材と第二部材とが重合した重合閉塞位置では、凹凸係合途中となって係合付勢機構によってカム部に対してカム係合部が係合付勢（押圧）されて凹部に凸部が落ち込もうとする吸い込み力が生じ、閉じ付勢が生じる。
【０００８】
また第二部材をこの重合閉塞状態の０度からおよそ４５度まで起伏回動するとカム部に対してカム係合部が相対回動して凹部から凸部が係合付勢機構に抗して登り上がって乗り上がり凹部から脱し、更に凹部は係合付勢機構により凹部間の摺動部に圧接することで回動抵抗（トルク）が生じて回動途中でふらつかないようにしたり、更にこのトルクを高めていわゆる手を放した位置で回動位置が保持されるフリーストップを実現させたりすることも可能で、またこの摺動部を下がり傾斜面とすることで開き付勢（回動付勢）が生じるように構成することもでき、そして１８０度の少し手前の１７０度位置で凸部が凹部に丁度凹凸係合するが、前述のように厳密に言えばこの寸前の１６５度でストッパーなどにより過回動が阻止されて開放状態となることでやはりこの吸い込み力による開き付勢が生じふらつくことなく開放状態がクリック保持されるように構成している。
【０００９】
即ち、このカム機構は、重合閉塞時で自動的に閉じ付勢が生じ、これに抗して回動すると回動途中（４５度）で凹部から凸部が登り上がってこの閉じ付勢が自動的に消失し、今度は凸部の圧接によりトルクを生じさせたり、あるいは逆に凸部を下がり傾斜面に圧接することで開き付勢を生じさせて自動回動させるように構成したり、また最後に開放状態となるとこの回動位置がクリック保持されるように構成している。
【発明の開示】
【発明が解決しようとする課題】
【００１０】
このような機能が生じるように、凸部を設けたカム部と凹部を設けたカム係合部とを夫々樹脂成形部品によって構成するが、前述のように凹部から登り上がって次の凹部へと落ち込むこの凹部と凹部との間の摺動部を下がり傾斜面に設けて、この下がり傾斜面に凸部を係合付勢バネなどの係合付勢機構によって圧接して回動付勢を生じさせ、前記起伏反転回動操作を軽くさせたり、自動回動するように構成する場合、この回動付勢を早目に生じさせたいが、凹部から凸部が脱する回動位置を小さくできなく従来は４５度近くとしている。
【００１１】
即ち、重合閉塞状態では十分な閉じ付勢を生じさせるために０度位置では凸部が凹部の登り上がり傾斜部の途中位置となって、重合部の自重とこの吸い込み力による閉じ付勢によってたとえ重合ロック機構を設けなくても重合部がふらつき開放しないように構成とするが、この凹部から凸部が登り上がり傾斜部を登り上がりその頂部を乗り越える凹部脱出位置を４５度以下としようとすると、この登り上がり傾斜部の登り上がり傾斜度を更に急傾斜に形成しなければならない。
【００１２】
従って、３５度以下で凸部が凹部から脱しようとすると、十分な閉じ付勢や開放状態のときのクリック保持力を確保しようとすると、凹部の登り上がり傾斜度は極度にきつくなり、そのため凸部が凹部を登り上がることができなく起伏回動が行えなかったり、スムーズに回動しなかったり、無理に回動することでカム部やカム係合部形成部品が破損したり壊れたりする場合がある（登り上がり傾斜部の傾斜度は限界傾斜度を超えてしまう。）。
【００１３】
そのため、凹部から脱する位置を３５度以下とすると結局は限界傾斜度よりも登り上がり傾斜部の傾斜度がきつくなってしまうため、凹部の登り上がり傾斜部の頂部の高さを低くし、即ち凹部の深さを浅くしなければならなくなり、そのため凹部と凹部との間の摺動部の下がり傾斜面をそれだけ緩やかにしなければならなくなって必要な回動付勢を生じさせることができなくなってしまう。
【００１４】
従って、従来は凹部を深くして凸部と凹部とによる閉じ付勢やクリック保持力を確保しつつ、この限界傾斜度を考慮すると、回動操作を軽くしたり、自動回動させるなど十分に大きな回動付勢を望む場合には、凹部から凸部が脱する位置を４５度位とせざるを得ず、そのため４５度位置でようやく凸部は凹部から脱し、ここから下がり傾斜した摺動部によって回動付勢が生じる構成としている。即ち、４５度までは閉じ付勢に抗して重合部を持ち上げなければならず４５度までは回動付勢が生じない構成であった。
【００１５】
本発明は、従来のカム機構にこのような問題があることを見出しこれを解決したもので、凹部の登り上がり傾斜部の傾斜度は限界傾斜度を超えるような急傾斜とならず、回動できなかったり、しにくくなったりこの凹部や凸部を構成したカム部品が破損したりせず、常にスムーズな回動が維持されつつも、３５度以下の回動位置で早目に凹部から凸部が脱して下がり傾斜の摺動部による回動付勢が生じ、しかもこの凹部の登り上がり傾斜部の頂部を低くし登り上がり傾斜度を限界傾斜度以上に急傾斜にすることなく、凹部から脱した位置から重合部の自重がかかる略９０度位置までは下がり傾斜度を急にして大きな回動付勢を生じさせ、逆に重合部の自重が回動方向に加わる略９０度以上からの回動範囲では下がり傾斜面をこれより緩やかにしてこれより小さな回動付勢で良いとして効率良く回動付勢を生じさせることで、凹部の脱する位置を３５度以下にして閉じ付勢に代わって回動付勢が生じる位置を早目に設定しても、十分な回動付勢が得られる極めて画期的なヒンジ装置並びにヒンジ装置を用いた電子機器を提供することを目的としている。
【課題を解決するための手段】
【００１６】
添付図面を参照して本発明の要旨を説明する。
【００１７】
第一部材１と第二部材２とを重合した重合閉塞状態から第一部材１に対して第二部材２を起伏反転回動して開放状態となるように第一部材１と第二部材２とを回動自在に連結するヒンジ装置であって、前記第一部材１に連結する第一連結部３と前記第二部材２に連結する第二連結部４の一方に、凸部10を設けたカム部７を共回り状態に設け、他方に相対回動することで前記カム部７の凸部10と凹凸係合する凹部11を設けたカム係合部８を共回り状態に設け、このカム部７とカム係合部８との少なくとも一方は前記共回り状態にして且つ回動軸方向となる係合離反方向にスライド移動自在に設け、このカム部７若しくはカム係合部８を係合方向に付勢する係合付勢機構９を設け、前記カム係合部８には前記凸部10が落ち込み係合する前記凹部11を設けると共に、相対回動することで前記係合付勢機構９に抗して前記凹部11から前記凸部10が脱して再び前記凹部11に前記凸部10が係合するまでの間で凸部10が前記係合付勢機構９の係合付勢により圧接摺動する摺動部12を設け、この摺動部12を次に前記凸部10が係合する前記凹部11に向かって下り傾斜する傾斜面に設けて前記係合付勢機構９による回動付勢が生じるように構成したヒンジ装置において、前記第一部材１と前記第二部材２とが重合した重合閉塞状態の回動角を０度としたとき、前記第一部材１に対して前記第二部材２を回動して前記凸部10が前記凹部11の登り上がり傾斜部13を乗り超えてこの凹部11から脱した回動位置の回動角が３５度以下となるように前記凹部11を形成し、前記摺動部12の下がり傾斜面は、この傾斜度が変化しない一定の傾斜度の傾斜面とせず、前記凸部10が前記凹部11から脱してから回動角が略９０度までの回動範囲の下がり傾斜度が、それ以上の回動範囲の下がり傾斜度より大きくして、前記回動角が略９０度の位置の前後で前記回動付勢が変化するように形成したことを特徴とするヒンジ装置に係るものである。
【００１８】
また、前記カム部７に二つの前記凸部10を設けると共に、この二つの凸部10に夫々凹凸係合する二つの前記凹部11を前記カム係合部８に設け、前記凸部10も前記凹部11もカム部７若しくはカム係合部８の対向面であって１８０度位相が異なる対向位置に設け、この二つの凹部11間夫々に前記下り傾斜面とした前記摺動部12を設けたことを特徴とする請求項１記載のヒンジ装置に係るものである。
【００１９】
また、前記カム部７に設けた前記凸部10が相対回動することで、これが落ち込み係合する前記凹部11の前記登り上がり傾斜部13を登り上がって行きこの登り上がり傾斜部13の頂部を乗り越えると前記下がり傾斜面とした摺動部12に前記係合付勢機構９による係合付勢によって圧接して前記回動付勢が生じ、更にこの摺動部12を摺動して次の前記凹部11に落ち込み係合するように構成し、前記登り上がり傾斜部13の登り傾斜度を大きくすることで前記凸部10が前記凹部11から脱する位置の回動角を３５度以下となるように前記凹部11を形成すると共に、この登り上がり傾斜部13の頂部の高さを低くして前記登り上がり傾斜部13の登り傾斜度を登り上がれない限界傾斜度よりは小さくなるように前記凹部11を形成したことを特徴とする請求項１，２のいずれか１項に記載のヒンジ装置に係るものである。
【００２０】
また、操作部を設けた本体部を前記第一部材１若しくは前記第二部材２とし、これに重合するディスプレイ部を設けた重合部を前記第二部材２若しくは前記第一部材１とし、この本体部と重合部とを、重合閉塞状態から起伏反転回動して開放状態となるように、前記請求項１〜３のいずれか１項に記載のヒンジ装置で枢着したことを特徴とするヒンジ装置を用いた電子機器に係るものである。
【発明の効果】
【００２１】
本発明は上述のように構成したから、凹部の登り上がり傾斜部の傾斜度は限界傾斜度を超えるような急傾斜とならず、回動できなかったり、しにくくなったりこの凹部や凸部を構成したカム部品が破損したりせず、スムーズな回動が常に維持されつつも、３５度以下の回動位置で早目に凹部から凸部が脱して下がり傾斜の摺動部による回動付勢が生じ、しかもこの凹部の登り上がり傾斜部の頂部を低くし登り上がり傾斜度を限界傾斜度以上に急傾斜にすることなく、凹部から脱した位置から重合部の自重がかかる略９０度位置までは下がり傾斜度を急にして大きな回動付勢を生じさせ、逆に重合部の自重が回動方向に加わる略９０度以上からの回動範囲では下がり傾斜面をこれより緩やかにしてこれより小さな回動付勢で良いとして効率良く回動付勢を生じさせることで、凹部の脱する位置を３５度以下にして閉じ付勢に代わって回動付勢が生じる位置を早目に設定しても、十分な回動付勢が得られる極めて画期的なヒンジ装置並びにヒンジ装置を用いた電子機器となる。
【００２２】
また、請求項２，３記載の発明においては、前記作用・効果が一層良好に発揮される一層優れたヒンジ装置となる。
【発明を実施するための最良の形態】
【００２３】
好適と考える本発明の実施形態（発明をどのように実施するか）を、図面に基づいて本発明の作用を示して簡単に説明する。
【００２４】
第一部材１に第二部材２を重合した重合閉塞状態（回動角０度）では、カム部７の凸部10とカム係合部８の凹部11とは凹凸係合途中となり、閉じ付勢が生じている。
【００２５】
即ち、凸部10は凹部11の登り上がり傾斜部13の途中にあり係合付勢機構９による係合付勢とこの登り上がり傾斜部13の位置にあって凸部10が落ち込み途中にあることで戻り回動付勢が生じている。
【００２６】
この状態から第一部材１に対して第二部材２を起伏反転回動すると、係合付勢機構９に抗してカム部７とカム係合部８は離反し凸部10は凹部11の登り上がり傾斜部13を登り上がってゆきこの頂部を乗り越えると凹部11から脱し、次の凹部11までは係合付勢機構９に係合付勢されて凸部10は摺動部12に圧接する。
【００２７】
この摺動部12は下がり傾斜面に形成されているため、この係合付勢機構９による係合付勢によって回動付勢が生じ、回動操作が軽くなったり自動回動するように構成することができる。
【００２８】
しかし、この凹凸係合による閉じ付勢や開放状態のクリック保持力を確保するために凹部11は浅くできない。そのため凹部11を深く確保しつつこれに係合する凸部10がこの凹部11から脱した後の摺動部12の下がり傾斜度を、前記必要な回動付勢が生じるように十分な下がり傾斜度の傾斜面とするには、従来構成のように凹部11から凸部10が脱する位置を、既に説明したように４５度以上とせざるを得ない。
【００２９】
即ち、図９に示すように、３５度より小さくしたのでは凹部11の登り上がり傾斜部13の登り傾斜度をそれだけ急にせざるを得ずもはや登り上がることができる限界傾斜度を超えるおそれがあるからである。
【００３０】
がしかし本発明は、これより小さい回動角、例えば２５度でも凹部11から脱し摺動部12によりこの早目の２５度から必要な回動付勢を生じさせることができる。
【００３１】
即ち、３５度より小さくすれば登り上がり傾斜部13の登り傾斜度が大きくなるが、この登り上がり傾斜部13の頂部の高さ（凹部11の深さ）を低く（浅く）し、登り上がり傾斜部13は限界傾斜面よりは急にしない。
【００３２】
一方、摺動部12の下がり傾斜面の傾斜度を従来のように一定とすれば、これでは十分な回動付勢が生じないが、本発明では、図８に示すように、このような従来の固定観念を打破してこの摺動部12の下がり傾斜度を一定とはせず、大きな回動付勢が必要な略９０度位まではかなり急な下がり傾斜面にして回動付勢を大きく生じさせ、これ以上の回動範囲ではなだらかにして小さな回動付勢で良い（平らにして０でも良い）とし、効率良く必要性に応じて摺動部12の傾斜度を９０度付近で変化させている。
【００３３】
即ち、起伏反転回動する部材（例えば第一部材１に対する第二部材２）の自重が立ち上げまでは回動抵抗となるが、９０度付近、言い換えれば、この回動操作する部材が立ち上がった状態（立直状態）となるとほとんど自重は回動抵抗とならず、これを越えれば逆に回動を助長するから、摺動部12の下がり傾斜度を略９０度、即ち立ち上がり状態となるまでの回動範囲はそれ以上の回動範囲より急にして大きな回動付勢が生じるようにし、それ以上では小さくて良いのでゆるやかにして回動付勢を効率良く強弱させることで、凹部11の登り上がり傾斜部13の頂部の高さを低くし且つ登り上がり傾斜部13の頂部の回動位置を３５度以下として回動付勢が早目に効き始める構成とし、しかもそれでいながら登り上がり傾斜部13を限界傾斜度より急にならずに且つ必要な大きな回動付勢が生じ、操作を軽くできたり、自動回動も実現し得る画期的なヒンジ装置並びにヒンジ装置を用いた電子機器となる。
【実施例】
【００３４】
本発明の具体的な実施例について図面に基づいて説明する。
【００３５】
本実施例では、折り畳み式の携帯電話など操作部を設けた本体部を第一部材１とし、これに重合するディスプレイ部を設けた重合部を第二部材２とし、この第一部材１に第二部材２に起伏反転回動自在となるように端部同志を枢着するヒンジ装置に本発明を適用している。
【００３６】
具体的には、本実施例のヒンジ装置の基本構成は、従来例で説明した構成例と同じであり、その従来例のタイプに本発明を適用した一実施例である。
【００３７】
即ち、第一部材１に設ける第一連結部３と第二部材２に設ける第二連結部４の一方に回動軸部５を設け、他方にこの回動軸部５が相対回動自在に連結する軸受部６を設けて回動自在に連結する構成とするが、具体的には回動軸部５あるいは軸受部６にカム部７とカム係合部８を設けてこの一方を第一部材１と共回りするように設け、他方を第二部材２と共回りするように設け、このカム部７とカム係合部８とが前記第一部材１に対する第二部材２の回動に伴って相対回動する際に、すり合わせ面となる互いの内側対向面に凸部10と凹部11とを設け、この凸部10と凹部11とが凹凸係合することでその回動位置がクリック保持されるように構成している。
【００３８】
更に説明すると、本実施例では本体部１となる第一部材１に設けた取付孔に回り止め状態に係合させて共回り状態に連結する第一連結部３に一体にしてカム部７を設け、この第一連結部３に設けたカム部７を貫通させるようにして回動軸部５を回り止め状態あるいは回動自在に突設し、この回動軸部５に回動自在にして且つスライド移動自在に前記カム部７に対して相対回動するカム係合部８を設け、このカム係合部８は重合部２となる第二部材２に共回り状態に連結する第二連結部４（筒状ケース部４）に回り止め状態に設ける。
【００３９】
即ち、本実施例では第二部材２の取付孔に回り止め状態に第二連結部４としての筒状ケース部４を設け、この筒状ケース部４内に前記カム係合部８をスライド自在にして回り止め状態に収納し、この第二連結部４（筒状ケース部４内）とカム係合部８に回動軸部５を回動自在に挿通してこれらを軸受部６とし、この第二連結部４であって軸受部６となる筒状ケース部４内に前記カム係合部８と共に係合付勢機構９としてのバネを設けてカム係合部８をカム部７に押し付けて凹凸係合付勢するように構成している。
【００４０】
従って、第一部材１に対して第二部材２を起伏反転回動すると、第一連結部３及びこれと一体に設けたカム部７に対して、第二連結部４及びこれに回り止め状態に設けたカム係合部８が回動し、開放回動位置でカム部７の凸部10とカム係合部８の凹部11とが凹凸係合して、厳密にいえば凹部11の底部に達せず落ち込み傾斜部14の途中でストッパーにより過回動阻止されてクリック保持されるように構成している。
【００４１】
本実施例ではこの凸部10も凹部11も１８０度位相のズレた対向位置に夫々二つずつ設けて前記カム部７もカム係合部８もその凹凸係合する対向面は回転対称形状に設けられ、第一部材１と第二部材２とが重合した重合閉塞位置（０度）では、凹凸係合途中となって係合付勢機構９によってカム部７に対してカム係合部８が係合付勢（押圧）されて凹部11に凸部10が落ち込もうとする吸い込み力が生じる構成としている。
【００４２】
また第二部材２を０度から起伏回動するとカム部７に対してカム係合部８が相対回動して凹部11から凸部10が係合付勢機構９に抗して登り上がって乗り上がり凹部11から脱し、更に各凸部10は係合付勢機構９により対向するもう一方の凹部11までの間の下がり傾斜面とした各摺動部12に圧接することで開き付勢（回動付勢）が生じるように構成している。
【００４３】
更に説明すると、本実施例は、相対回動することで前記係合付勢機構９に抗して前記凹部11から前記凸部10が脱して再び前記もう一方の凹部11に前記凸部10が係合するまでの間で凸部10が前記係合付勢機構９の係合付勢により圧接摺動する摺動部12を、各凹部11間の回転対称位置に設け、この各摺動部12を次に前記凸部10が係合する前記凹部11に向かって夫々下り傾斜する傾斜面に設けて前記係合付勢機構９による回動付勢が生じ、この凸部10が凹部11の登り上がり傾斜部13を乗り超えてこの凹部11から脱した回動位置の回動角が３５度以下となるように前記凹部11を形成し、更にこの摺動部12の下がり傾斜面は、この傾斜度が変化しない一定の傾斜度の傾斜面とせず、前記凸部10が前記凹11から脱してから回動角から略９０度までの下がり傾斜度が、それ以上の回動範囲の下がり傾斜度より大きくして、前記回動角が略９０度の位置の前後で前記回動付勢が変化するように形成している。
【００４４】
即ち、本実施例では二つの凹部11から二つの各凸部が夫々脱する位置の回動角を３５度以下としているが、具体的には２５度としている。
【００４５】
そしてその後凸部10が圧接する下がり傾斜面とした摺動部12は第二部材２の自重がほとんど回動抵抗とならなくなる略９０度、例えば８５度から９５度とし、この回動角範囲で摺動部12の傾斜度は急傾斜から緩やかな傾斜と変化するように構成している。
【００４６】
更に説明すると、前記カム部７に二つの前記凸部10を設けると共に、この二つの凸部10に夫々凹凸係合する二つの前記凹部11を前記カム係合部８に設け、前記凸部10も前記凹部11もカム部７若しくはカム係合部８の対向面であって１８０度位相が異なる対向位置に設け、この二つの凹部11間夫々に前記下り傾斜面とした前記摺動部12を設け、このカム係合部８の対向面の出入り形状が図８となるように樹脂製のカム係合部８形成部品を精密に形成している。
【００４７】
具体的には本実施例では、凹部11の底部と登り上がり傾斜部13の頂部とは回動角にして３５度とし、重合閉塞状態の回動角０度のときは、底部から１０度回動した登り上がり傾斜部13の途中に位置し、これにより重合閉塞状態では自動的に閉じ付勢が生じる。従って０度から２５度回動させると凸部10は登り上がり傾斜部13を登り上がって凹部11から脱し、ここから下がり傾斜面とした摺動部12に凸部10が圧接して回動付勢が生じるように構成し、この２５度から前記９０度位のところまでを急な下がり傾斜面に構成し、これを過ぎると開放状態となる最大開放回動位置寸前までは緩やかな傾斜面として回動付勢は強から弱となるようにしている。
【００４８】
この緩やかとした略９０度から開放状態となるまで（後述するようにその少し前まで）の範囲はかなり緩やかとしても良いし、水平としても良い。
【００４９】
ただ、開放状態でクリック保持されるように少なくとも５度分の吸い込み力を生じさせるように、１７０度凸部10は凹部11の底部に達する構成としつつも、その５度手前の１６５度でストッパーによって過回動が阻止され、凹部11の落ち込み傾斜部14の途中に凸部10が位置するようにして開放状態となり、ここでも開き付勢（回動付勢）を十分に生じさせてクリック保持するように構成している。
【００５０】
更に説明すると、本実施例では、前記登り上がり傾斜部13の登り傾斜度を大きくすることで前記凸部10が前記凹部11から脱する位置の回動角を２５度まで小さくしてかなり早目に回動付勢が生じるように前記凹部11を形成すると共に、この登り上がり傾斜部13の頂部の高さを低くして前記登り上がり傾斜部13の登り傾斜度を限界傾斜度よりは小さくなるように前記凹部11を形成し、そして更にこの摺動部12の下がり傾斜面は、この傾斜度が変化しない一定の傾斜度の傾斜面とせず、前記凸部10が前記凹11から脱してから回動角から略９０度までの回動範囲の下がり傾斜度が、それ以上の回動範囲で最大開放位置の寸前までの下がり傾斜度より大きくして、前記回動角が略９０度の位置の前後で前記回動付勢が強弱変化するように形成している。
【００５１】
この前半の９０度近くまでの下がり傾斜度はかなり大きくして大きな回動付勢が生じないようにし、略９０度に近づくにつれて徐々に傾斜度が緩やかになるように形成しても良いが、いずれにしても９０度付近を境に前半は後半よりかなり下がり傾斜度を大きくすることで凹部11の登り上がり傾斜部13の頂部の高さをすこしでも必要範囲（前半）に大きな回動付勢が生じるように構成している。
【００５２】
従って、本実施例では起伏反転回動する部材（第一部材１に対する第二部材２）の自重が立ち上げるまでは回動抵抗となるが、９０度付近（８５度から９５度）、言い換えれば、この回動操作する部材が立ち上がった状態（立直状態）となるとほとんど自重は回動抵抗とならず、これを越えれば逆に回動を助長するから、摺動部12の下がり傾斜度を略９０度、即ち立ち上がり状態となるまでの回動範囲はそれ以上の回動範囲より急にして大きな回動付勢が生じるようにし、それ以上では小さくて良いのでゆるやかあるいは水平にして回動付勢を効率良く強弱させることで、凹部11の登り上がり傾斜部13の頂部の高さを低くし且つ登り上がり傾斜部13の頂部の回動位置を３５度以下（２５度）として回動付勢が早目に効き始める構成としても、登り上がり傾斜部13は限界傾斜度より急にならずに且つ必要な大きな回動付勢が生じ、第二部材２の回動操作を軽くできたり、自動回動も実現し得る画期的なヒンジ装置となる。
【００５３】
尚、本発明は、本実施例に限られるものではなく、各構成要件の具体的構成は適宜設計し得るものである。
【図面の簡単な説明】
【００５４】
【図１】本実施例の説明斜視図である。
【図２】本実施例のヒンジ装置の説明斜視図である。
【図３】本実施例のヒンジ装置の説明分解斜視図である。
【図４】本実施例のカム係合部の説明斜視図である。
【図５】本実施例のカム部の説明斜視図である。
【図６】本実施例のヒンジ装置の組み付け時の作動説明断面図である。
【図７】本実施例の作動説明側面図である。
【図８】本実施例のカム係合部の凹部及び摺動部の形状を示す説明図である。
【図９】従来例のカム係合部の凹部及び摺動部の形状を示す説明図である。
【符号の説明】
【００５５】
１  第一部材
２  第二部材
３  第一連結部
４  第二連結部
７  カム部
８  カム係合部
９  係合付勢機構
10  凸部
11  凹部
12  摺動部
13  登り上がり傾斜部
【図１】
2010133494.tif 000003
【図２】
2010133494.tif 000004
【図３】
2010133494.tif 000005
【図４】
2010133494.tif 000006
【図５】
2010133494.tif 000007
【図６】
2010133494.tif 000008
【図７】
2010133494.tif 000009
【図８】
2010133494.tif 000010
【図９】
2010133494.tif 000011
【手続補正書】
【提出日】平成21年4月8日(2009.4.8)
【手続補正１】
【補正対象書類名】明細書
【補正対象項目名】００５１
【補正方法】変更
【補正の内容】
【００５１】
この前半の９０度近くまでの下がり傾斜度はかなり大きくして大きな回動付勢が生じるようにし、略９０度に近づくにつれて徐々に傾斜度が緩やかになるように形成しても良いが、いずれにしても９０度付近を境に前半は後半よりかなり下がり傾斜度を大きくすることで凹部11の登り上がり傾斜部13の頂部の高さが低くてもすこしでも必要範囲（前半）に大きな回動付勢が生じるように構成している。